(57)【要約】本明細書に記載された例示的な実施例は、手動作動型ポンプ、および、組織部位に減圧を加える方法に関する。手動作動型ポンプは、複数ある位置に手動圧縮可能な少なくとも１つの可変容量チャンバを具える。手動作動型ポンプは、少なくとも１つの可変容量チャンバと接続する固定容量チャンバを備える。さらに、手動作動型ポンプは、少なくとも１つの可変容量チャンバに液体が入るのを阻止する疎水性フィルタを有するフィルタハウジングを備える。固定容量チャンバは、フィルタハウジングを介して少なくとも１つの可変容量チャンバに結合される。フィルタハウジングは、少なくとも１つの可変容量チャンバと固定容量チャンバとの間に配置される。【選択図】図１
2010517680.tif 000002
【特許請求の範囲】
【請求項１】
組織部位に減圧を加える手動作動型ポンプにおいて、
複数の位置に手動で圧縮可能な少なくとも１つの可変容量チャンバと、
少なくとも１つの可変容量チャンバと接続している固定容量チャンバと、
前記少なくとも１つの可変容量チャンバに液体が入るのを阻止するための疎水性フィルタを有するフィルタハウジングとを具え、
前記固定容量チャンバが、前記フィルタハウジングを介して、前記少なくとも１つの可変容量チャンバに結合され、前記フィルタハウジングは、前記少なくとも１つの可変容量チャンバと前記固定容量チャンバとの間に配置され、前記固定容量チャンバは、複数ある圧縮位置から複数ある非圧縮位置までの前記少なくとも１つの可変容量チャンバの移動に応じて、前記組織部位に加えられる減圧を有することを特徴とする手動作動型ポンプ。
【請求項２】
前記フィルタハウジングは、前記固定容量チャンバから前記少なくとも１つの可変容量チャンバまでの臭気の移動を制限する臭気フィルタを具えることを特徴とする請求項１に記載の装置。
【請求項３】
前記臭気フィルタは、炭を具える臭気用カーボンフィルタであることを特徴とする請求項２に記載の装置。
【請求項４】
前記疎水性フィルタおよび前記臭気フィルタが、前記固定容量チャンバにより近接して前記フィルタハウジングの側部に結合されることを特徴とする請求項３に記載の装置。
【請求項５】
前記臭気フィルタが、前記フィルタハウジングと前記疎水性フィルタとの間に挟まれていることを特徴とする請求項４に記載の装置。
【請求項６】
前記少なくとも１つの可変容量チャンバが、少なくとも１つの蛇腹からなり、当該少なくとも１つの蛇腹が、少なくとも１つの圧縮可能蛇腹を形成するように、少なくとも１つの波形側壁を具えることを特徴とする請求項１に記載の装置。
【請求項７】
前記少なくとも１つの波形側壁は伸縮弾性材料を具え、前記圧縮位置から前記非圧縮位置までの前記少なくとも１つの可変容量チャンバの移動は拡張力によって生じ、当該拡張力は、前記少なくとも１つの波形側壁の拡張によって生じることを特徴とする請求項６に記載の装置。
【請求項８】
前記少なくとも１つの圧縮可能蛇腹は卵形断面形状を有することを特徴とする請求項１に記載の装置。
【請求項９】
前記液体は前記組織部位での滲出液であり、
前記装置はマニホールドを更に具え、前記固定容量チャンバの減圧が、前記マニホールドを介して、前記組織部位から前記固定容量チャンバまで前記滲出液を移動させることを特徴とする請求項１に記載の装置。
【請求項１０】
前記固定容量チャンバは、入口ポイントで入口バルブを更に具え、前記滲出液が、前記入口バルブを介して前記マニホールドから前記固定容量チャンバへと流れ、前記入口バルブは、前記滲出液が前記入口ポイントで前記固定容量チャンバから出るのを阻止することを特徴とする請求項９に記載の装置。
【請求項１１】
前記入口バルブが、前記固定容量チャンバの底部壁の中心に配置されることを特徴とする請求項１０に記載の装置。
【請求項１２】
前記固定容量チャンバを前記マニホールドに結合する送達チューブを更に具え、前記滲出液は、前記マニホールドから前記固定容量チャンバまで前記送達チューブを通って移動することを特徴とする請求項１１に記載の装置。
【請求項１３】
前記少なくとも１つの可変容量チャンバが、少なくとも１つの出口バルブを更に具え、ガスは、前記非圧縮位置から前記圧縮位置までの前記少なくとも１つの可変容量チャンバの第２の移動に応じて、前記少なくとも１つの出口バルブを介して、前記少なくとも１つの可変容量チャンバを出て、前記少なくとも１つの出口バルブは、前記少なくとも１つの可変容量チャンバにガスが入るのを阻止することを特徴とする請求項１２に記載の装置。
【請求項１４】
前記少なくとも１つの出口バルブおよび前記入口バルブは、前記手動作動型ポンプの中心長手方向軸に沿って配置されることを特徴とする請求項１３に記載の装置。
【請求項１５】
前記少なくとも１つの出口バルブが、前記少なくとも１つの可変容量チャンバの頂部壁の中心に配置されることを特徴とする請求項１３に記載の装置。
【請求項１６】
前記少なくとも１つの出口バルブが、前記少なくとも１つの可変容量チャンバの少なくとも１つの側壁に配置されることを特徴とする請求項１３に記載の装置。
【請求項１７】
前記少なくとも１つの可変容量チャンバが、少なくとも１つのインターロッキングシールによって、前記フィルタハウジングを密封するように結合されることを特徴とする請求項１に記載の装置。
【請求項１８】
前記少なくとも１つの可変容量チャンバが、前記圧縮位置よりも前記非圧縮位置においてより大きな容量を有することを特徴とする請求項１に記載の装置。
【請求項１９】
頂部ケーシング部および底部ケーシング部を有するケーシングを更に具え、前記頂部ケーシング部が、前記少なくとも１つの可変容量チャンバを含み、前記底部ケーシング部が、前記固定容量チャンバを含むことを特徴とする請求項１に記載の装置。
【請求項２０】
圧力フィードバックシステムを更に具え、当該圧力フィードバックシステムが、前記少なくとも１つの可変容量チャンバによって加えられる減圧量を示すことを特徴とする請求項１に記載の装置。
【請求項２１】
減圧を組織部位に加える方法において、
複数ある非圧縮位置から複数ある圧縮位置まで少なくとも１つの可変容量チャンバを圧縮するステップと、
前記圧縮位置から前記非圧縮位置まで前記少なくとも１つの可変容量チャンバを拡張するステップに応じて、前記少なくとも１つの可変容量チャンバに液体が入るのを阻止するための疎水性フィルタを有するフィルタハウジングを介して、前記少なくとも１つの可変容量チャンバから固定容量チャンバまで、減圧を送達するステップと、
前記少なくとも１つの可変容量チャンバから前記固定容量チャンバまで前記減圧を送達するステップに応じて、前記減圧を前記組織部位に加えるステップと、
を具えることを特徴とする方法。
【請求項２２】
前記少なくとも１つの可変容量チャンバが、少なくとも１つの波形側壁を具え、前記圧縮位置から前記非圧縮位置まで前記少なくとも１つの可変容量チャンバを拡張するステップが、前記少なくとも１つの波形側壁を用いて前記圧縮位置から前記非圧縮位置まで前記少なくとも１つの可変容量チャンバを拡張するステップを更に具えることを特徴とする請求項２１に記載の方法。
【請求項２３】
前記非圧縮位置から前記圧縮位置まで前記少なくとも１つの可変容量チャンバを圧縮するステップが、前記少なくとも１つの可変容量チャンバに配置された少なくとも１つの出口バルブを介して、前記少なくとも１つの可変容量チャンバからガスを放出するステップを更に具えることを特徴とする請求項２１に記載の方法。
【請求項２４】
組織部位に減圧を加える手動作動型ポンプにおいて、
複数の位置に圧縮可能であり、伸縮弾性材料を含む少なくとも１つの波形側壁を具える少なくとも１つの圧縮可能蛇腹と、
入口ポイントで入口バルブを有する固定容量チャンバと、を具え、
滲出液が、前記入口バルブを介して前記組織部位から前記固定容量チャンバ内に流れ、前記入口バルブは、前記入口ポイントで前記固定容量チャンバから前記滲出液が出るのを阻止し、前記入口バルブは、前記固定容量チャンバの底部壁の中心に配置され、
さらに、手動作動型ポンプは、
前記滲出液が前記少なくとも１つの圧縮可能蛇腹に入るのを阻止する疎水性フィルタと、前記固定容量チャンバから前記少なくとも１つの圧縮可能蛇腹への臭気の移動を制限する臭気用カーボンフィルタと、を有するフィルタハウジングを具え、
前記固定容量チャンバが、前記フィルタハウジングを介して、前記少なくとも１つの圧縮可能蛇腹に結合され、前記フィルタハウジングは、前記少なくとも１つの圧縮可能蛇腹と前記固定容量チャンバとの間に配置され、前記複数ある圧縮位置から前記複数ある非圧縮位置までの前記少なくとも１つの圧縮可能蛇腹の移動に応じて、前記固定容量チャンバは、前記組織部位に加える減圧を有し、前記移動は、前記少なくとも１つの波形側壁からの拡張力によって生じ、
さらに、手動作動型ポンプは、
少なくとも１つの出口バルブを具え、
前記非圧縮位置から前記圧縮位置までの前記少なくとも１つの圧縮可能蛇腹の第２の移動に応じて、ガスは前記出口バルブを介して少なくとも１つの圧縮可能蛇腹から出て、前記少なくとも１つの出口バルブは、前記少なくとも１つの圧縮可能蛇腹にガスが入るのを阻止することを特徴とする手動作動型ポンプ。
【発明の詳細な説明】
【技術分野】
【０００１】
本発明は、概ね組織治療の分野に関し、より具体的には、組織部位に減圧を適用するシステムおよび方法に関する。
【背景技術】
【０００２】
臨床研究および業務は、組織部位に近接して減圧を提供することは、組織部位での新しい組織の成長を補助し、加速させることを示している。このような現象の応用は、多数あるが、減圧を適用することは、創傷の治療に特に成功している。減圧を使用した創傷の治療は、医療業界において、「負圧組織治療」「減圧セラピー」または「真空セラピー」と呼ばれることがある。この種の治療は、より早い治癒、肉芽（ｇｒａｎｕｌａｔｉｏｎ）組織の形成の増大など、多くの利点を与える。
【０００３】
減圧治療システムは、急病性または慢性の治療を受けている患者にある、大きくて、滲出の酷い創傷、ならびに、減圧を適用せずに治癒するのが容易ではないような他の厳しい創傷に適用されることが多い。容量的に小さく、浸出液も少ない重大度の低い創傷は、一般的に、減圧治療の代わりに、進歩したドレッシングを用いて治療されている。
【０００４】
現在のところ、減圧治療の使用は、システムコンポーネントを監視し、変更するのに必要なマンパワーや、治療を管理する熟練の医療スタッフが必要であり、治療費が高いので、程度の低い創傷に利用または手頃に使用できるとはみなされていない。例えば、現在の減圧治療システムの複雑性は、自己または他者に上記治療を行うことから、特別な知識のほとんどない、または、全くない人を排除してしまう。さらに、現在の減圧治療システムのサイズおよび電力消費特性は、治療が適用される治療システムおよび人の両方の可動性を限定してしまう。また、現在の減圧治療システムの高いコストは、あるユーザがこの治療システムを利用することを排除する可能性がある。また、現在の減圧治療システムは、通常、治療後に排気可能ではなく、治療に使用する減圧を生成するために、電機部品または他の電力装置を必要とする。
【０００５】
従来の減圧治療システムを用いて減圧を低容量で滲出の少ない創傷に適用できる一方で、特別な医療訓練なしで減圧治療を適用可能なより簡単なシステムが必要とされている。さらに、システムの使用者が可動性を保持し、日常の活動に参加できるような、電力をほとんど使用せず、小型なシステムが必要とされている。最後に、必要とされるシステムは高価ではないので、このシステムを患者一人で経済的に使用可能であり、患部の治療が終了した後、廃棄可能である。
【発明の概要】
【０００６】
減圧治療システムに存在する問題を解決するために、本明細書に記載される例示的な実施例は、手動作動型ポンプおよび、組織部位に減圧を提供する方法に関する。手動作動型ポンプは、複数の位置に手動で圧縮可能な少なくとも１つの可変容量チャンバを具える。手動作動型ポンプは、少なくとも１つの可変容量チャンバと接続した固定容量チャンバを具える。さらに、手動作動型ポンプは、液体が少なくとも１つの可変容量チャンバに入るのを阻止する疎水性フィルタを有するフィルタハウジングを具える。固定容量チャンバは、少なくとも１つの可変容量チャンバとフィルタハウジングを介して結合される。フィルタハウジングは、少なくとも１つの可変容量チャンバと固定容量チャンバとの間に配置される。固定容量チャンバは、複数位置における圧縮位置から、複数位置における非圧縮位置までの少なくとも１つの可変容量チャンバの移動に応じて、組織部位に適用される減圧を有する。
【０００７】
さらに、例示的な実施例は、組織部位に減圧を提供する方法を提供する。この方法は、複数位置の非圧縮位置から複数位置の圧縮位置まで少なくとも１つの可変容量チャンバを圧縮する。圧縮位置から非圧縮位置まで少なくとも１つの可変容量チャンバを伸長させるのに応じて、本発明の方法は、液体が少なくとも１つの可変容量チャンバに入るのを阻止する疎水性フィルタを有するフィルタハウジングを介して、少なくとも１つの可変容量チャンバから固定容量チャンバまで減圧を移す。本発明は、少なくとも１つの可変容量チャンバから固定容量チャンバまで減圧を送るのに応じて、組織部に減圧を供給する。本発明の他の目的、特徴および利点は、以下の図面、詳細な説明および特許請求の範囲を参照することで明らかになる。
【図面の簡単な説明】
【０００８】
【図１】図１は、本発明の例示的な実施例による、組織部位に減圧を提供する装置のブロック図を示す。
【図２】図２は、本発明の例示的な実施例による、組織部位に減圧を提供する装置の斜視図を示す。
【図３】図３は、本発明の例示的な実施例による、組織部位に減圧を提供する装置における圧縮可能ポンプの斜視図を示す。
【図４】図４は、本発明の例示的な実施例による、組織部位の減圧を提供する装置におけるフィルタハウジングの断面図を示す。
【図５】図５は、本発明の例示的な実施例による、組織部位に減圧を適用する装置におけるインターロッキングシールの断面図を示す。
【図６】図６は、本発明の例示的な実施例による、組織部位に減圧を適用する装置におけるインターロッキングシールの断面図を示す。
【図７】図７は、本発明の例示的な実施例による、組織部位に減圧を適用する装置における出口バルブの断面図を示す。
【図８】図８は、本発明の例示的な実施例による、組織部位に減圧を適用する装置におけるコネクションジョイントの断面図を示す。
【図９】図９は、本発明の例示的な実施例による、組織部位に減圧を適用する装置における圧縮可能ポンプ上の出口バルブの斜視図である。
【図１０】図１０は、本発明の例示的な実施例による、組織部位に減圧を提供する装置における出口バルブの断面図を示す。
【図１１】図１１は、本発明の例示的な実施例による、組織部位に減圧を提供する装置における出口バルブの断面図を示す。
【図１２】図１２は、本発明の例示的な実施例による、組織部位に減圧を提供する装置における出口バルブの断面図を示す。
【図１３】図１３は、本発明の例示的な実施例による、組織部位に減圧を提供する装置における出口バルブの斜視図を示す。
【図１４】図１４は、本発明の例示的な実施例による、組織部位に減圧を提供する装置の斜視図を示す。
【図１５】図１５は、本発明の例示的な実施例による、組織部位に減圧を提供する装置における２つの圧縮可能ポンプの斜視図を示す。
【図１６】図１６は、本発明の例示的な実施例による、組織部位に減圧を提供する装置の斜視図を示す。
【図１７】図１７は、本発明の例示的な実施例による、組織部位に減圧を提供する装置におけるケーシングの斜視図を示す。
【図１８】図１８は、本発明の例示的な実施例による、組織部位に減圧を提供する装置におけるケーシングの斜視図を示す。
【図１９】図１９は、本発明の例示的な実施例による、組織部位に減圧を提供するプロセスを記載したフローチャートを示す。
【発明を実施するための形態】
【０００９】
例示的な実施例に関する以下の詳細な説明において、明細書の一部を形成する添付の図面を参照する。これらの実施例は、当業者が本発明を実施するできるように十分に詳細に記載されており、他の実施例を使用することができ、論理的構造、機械的、電気的および化学的変更が、本発明の意図または範囲を逸脱することなくなされることを理解されたい。当業者が本明細書に記載された実施例を実施することができるのに必要のない詳細部を省くために、記載は、当業者に周知な情報を削除した。以下の詳細な説明は、従って、限定を意図するものではなく、本発明の範囲は、添付の請求の範囲によってのみ規定される。
【００１０】
本明細書に記載された例示的実施例は、組織部位に減圧を加える装置および方法を提供する。減圧は、一般的に、治療を受ける組織部位の周囲圧力よりも低い圧力を意味する。ほとんどの場合、この減圧は、患者が置かれる位置の周囲圧力よりも低い。用語「真空」および「負圧」は、組織部位に加えられる圧力を示すために使用されているが、組織部位に加えられる圧力は、完全な真空に対応した圧力よりも大幅に小さい。この用語（ｎｏｍｅｎｃｌａｔｕｒｅ）に一致するように、減圧または真空圧の増加は、絶対圧力の相対的減少を意味し、減圧または心空圧の減少は、絶対圧力の相対的増加を意味する。
【００１１】
手動作動型ポンプは、複数位置に手動で圧縮可能なように、少なくとも１つの可変容量チャンバを具える。手動作動型ポンプは、少なくとも１つの可変容量チャンバと接続した固定容量チャンバを備える。さらに、手動作動型ポンプは、液体が少なくとも１つの可変容量チャンバに入るのを阻止する疎水性フィルタを有するフィルタハウジングを備える。固定容量チャンバは、フィルタハウジングを介して少なくとも１つの可変容量チャンバに結合している。本明細書で使用されるように、用語「結合」は、別の物体を介して結合することを含む。例えば、固定容量チャンバと少なくとも１つの可変チャンバの両方が、フィルタハウジングなどの第３の物体に結合している場合、固定容量チャンバは、少なくとも１つの可変容量チャンバに結合している。さらに、用語「結合」は、「直接結合」を含み、２つの物体が、所定の方法で互いに接触している。また、用語「結合」は、コンポーネントの各々が材料の同一ピースから形成されているので、互いに連続している２またはそれ以上のコンポーネントを包含する。
【００１２】
フィルタハウジングは、少なくとも１つの可変容量チャンバと固定容量チャンバとの間に配置される。複数位置の圧縮位置から複数位置の未圧縮位置までの少なくとも１つの可変容量チャンバの移動に応答して、固定容量チャンバは、組織部位に加える圧力を減圧する。
【００１３】
ここで図１を参照すると、組織部位１０５に減圧を加える減圧治療システム１００が例示的実施例に従って示されている。組織部位１０５は、ヒト、動物、または、骨組織、脂肪組織、筋組織、皮膚組織、血管組織、結合組織、軟骨、腱、靱帯または他の組織を含む他の器官の身体組織でもよい。組織部位１０５は、創傷、疾患組織または欠損組織を含んでもよく、さらに、組織部位は、創傷、疾患または欠損のない健康な組織でもよい。組織部位１０５への減圧の付加は、組織１０５からの滲出液や他の液体の吸収を促進するために、ならびに、さらなる組織の成長を刺激するために使用されてもよい。組織１００が創傷部位である場合、肉芽組織の成長と、滲出液および細菌の除去は、創傷の治癒を促進する。健康な組織など、非創傷または非欠損組織に減圧を付加することは、回収され、別の組織位置に移植される組織の成長を促進するために使用することができる。
【００１４】
減圧治療システム１００はポンプ１０２を具える。ポンプ１０２は、フィルタハウジング１２０を介して互いに結合された、可変容量チャンバ１１０および固定容量チャンバ１１５を具える。可変容量チャンバ１１０は、軸１２２に沿って圧縮可能なポンプの圧縮によって影響される可変容量を有する。可変容量チャンバ１１０は、別の軸に沿って圧縮されてもよい。
【００１５】
可変容量チャンバ１１０は手動作動型でもよい。すなわち、可変容量チャンバ１１０の圧縮は、生体組織によって行われてもよい。例えば、可変容量チャンバ１１０は、人の手、指または別の手足によって、主導的に押され、押し込まれまたは圧縮されてもよい。可変容量チャンバ１１０は、どのような種類の手動作動型チャンバでもよい。例えば、可変容量チャンバ１１０は、波型の側壁を有する圧縮可能蛇腹（ｂｅｌｌｏｗｓ）でもよい。
【００１６】
一実施例においては、可変容量チャンバ１１０は、複数位置内に圧縮され、複数位置の各々は、可変容量チャンバ１１０に対して異なる容量を規定することができる。例えば、可変容量チャンバ１１０は、可変容量チャンバ１１０が最大容量となる完全非圧縮位置を有する。さらにこの実施例においては、可変容量チャンバ１１０は、可変容量チャンバ１１０が最小容量となる完全圧縮位置を有する。また、可変容量チャンバ１１０は、完全非圧縮位置と完全圧縮位置との間のあらゆる位置を有する。従って、非圧縮位置と圧縮位置は、完全非圧縮位置および完全圧縮位置の位置およびその間のあらゆる位置でもよく、非圧縮位置が圧縮位置よりも大きい容量を有する。
【００１７】
可変容量チャンバ１１０は、出口バルブ１２４を具える。出口バルブ１２４は、可変容量チャンバ１１０からの空気などのガス通路となる。さらに、出口バルブ１２４は、ガスが可変容量チャンバ１１０に入るのを阻止する。このように、可変容量チャンバ１１０の容量が、非圧縮位置から圧縮位置まで圧縮可能ポンプの圧縮のため減少されるとき、ガスは、可変容量チャンバ１１０から出るように力を受ける。出口バルブ１２４は、可変容量チャンバ１１０へのガスの流入を阻止する一方で、可変容量チャンバ１１０から出るガスの通路となるいかなる種類のバルブでもよい。バルブ１２４の非限定的な例は、アンブレラバルブ、ダックビルバルブ、ボールバルブ、ダイヤフラムバルブ、あらゆる種類の一方向バルブである。
【００１８】
図１は、１つの出口バルブ１２４を有する可変容量チャンバ１１０を示すが、可変容量チャンバ１１０は、多数の出口バルブを有していてもよい。また、図１は、可変容量チャンバ１１０の末端部分に出口バルブ１２４を示すが、出口バルブ１２４は、可変容量チャンバ１１０の側壁など、可変容量チャンバ１１０のいくつかの部分に配置されてもよい。一実施例においては、出口バルブ１２４は、可変容量チャンバ１１０の末端に配置され、反対側の末端には、フィルタハウジング１２０が配置される。出口バルブ１２４に関するさらなる詳細は、以下の図２、７および９−１３に示す。
【００１９】
ポンプ１０２は、固定容量チャンバ１１５を具える。固定容量チャンバ１１５は、ガスや液体などあらゆる流体ならびに固体を含む流体を含むことができる。例えば、固定容量チャンバ１１５は、組織部位１０５からの滲出液を含んでもよい。一実施例においては、固定容量チャンバ１１５は、実質的に固定された容量を有する。固定容量チャンバ１１５は、金属、プラスチックまたは硬化ゴムなど、実質的に固定された容量の固定容量チャンバ１１５を提供できるいかなる材料から構成されていてもよい。
【００２０】
固定容量チャンバ１１５は、末端壁１３０に結合した側壁１２５および１２７を具える。側壁１２５および１２７は、側壁１２５、１２７と、末端壁１３０との間にジョイントは存在しないように、末端壁１３０で連続的に形成されてもよい。さらに、側壁１２５および１２７は、末端壁１３０に溶接、ねじ留め、接着、ボルト留め、空気ロックシールまたは差し込み式（ｓｎａｐ）で固定されてもよい。
【００２１】
固定容量チャンバ１１５は、フィルタハウジング１２０によって可変容量チャンバ１１０に結合される。固定容量チャンバ１１５および可変容量チャンバ１１０は、各種方法でフィルタハウジング１２０に結合できる。例えば、固定容量チャンバ１１５または可変容量チャンバ１１０は、フィルタハウジング１２０に溶接、ねじ留め、接着、ボルト留め、エアロックシールまたは差し込み式（ｓｎａｐ）で固定されてもよい。固定容量チャンバ１１５または可変容量チャンバ１１０はさらに、フィルタハウジング１２０と同一材料の一部でもよく、これによって、固定容量チャンバ１１５とフィルタハウジング１２０との間のジョイントまたはシールを排除することが出来る。別の実施例においては、可変容量チャンバ１１０は、インターロッキングシールを使用してフィルタハウジング１２０にシールされてもよい。固定容量チャンバ１１５または可変容量チャンバ１１０と、フィルタハウジング１２０との結合に関するさらなる詳細は、以下の図２、５、６、１０−１３および１４に記載されている。
【００２２】
フィルタハウジング１２０は、１またはそれ以上のフィルタを含むことができる。一実施例においては、フィルタハウジング１２０は、液体が固定容量チャンバ１１５から可変容量チャンバに入るのを阻止する疎水性フィルタを具える。しかしながら、以下に記載するように、疎水性フィルタは、空気を通すことができ、減圧は、可変容量チャンバ１１０から固定容量チャンバ１１５へと送られてもよい。さらに、フィルタハウジング１２０は、固定容量チャンバ１１５から可変容量チャンバ１１０へと臭気を送るのを抑制または阻止する臭気フィルタを具えてもよい。疎水性フィルタおよび臭気フィルタに関するさらなる詳細は、以下の図２、４および１４に示す。
【００２３】
固定容量チャンバ１１５は、入口バルブ１４０を介して送達チューブ１３０に結合される。入口バルブ１４０が、入口ポイント１４３に配置される。入口バルブ１４０は、入口ポイント１４３で固定容量チャンバ１１５に入る滲出液などの流体の通路となる。さらに、入口バルブ１４０は、入口ポイント１４３で固定容量チャンバ１１５から出る流体の通過を制限する。入口バルブ１４０は、アンブレラバルブ、ダックビルバルブまたはこれらの組み合わせなどのあらゆるタイプのバルブでもよい。
【００２４】
入口バルブ１２４は、端壁１３０の中心に配置されてもよい。図１は、１つの入口バルブ１４０を有する固定容量チャンバ１１５を示しているが、固定容量チャンバ１１５は多数の入口バルブを有していてもよい。さらに、図１は、固定容量チャンバ１１５の端壁１３０での入口バルブ１４０を示しているが、出口バルブ１４０は、固定容量チャンバ１１５の側壁１２５および１２７など、固定容量チャンバ１１５のいずれかの部分に配置されてもよい。入口バルブ１４０に関するさらなる細部は、以下の図２および１７に示される。
【００２５】
送達チューブ１４０は、流体が流れるチューブである。送達チューブ１３５は、材料から構成され、流体が流れる１またはそれ以上のパスまたはルーメンを具えることができる。例えば、送達チューブ１３５は、２つのルーメンを具えることができる。この実施例においては、１つのルーメンを、組織部位１０５から固定容量チャンバ１１５へと滲出液通路に使用可能である。他のルーメンを、空気などの流体、抗菌剤、抗ウィルス剤、細胞増殖因子、洗浄用（ｉｒｒｉｇａｔｉｏｎ）流体、または、他の化学的活性剤を組織部位１０５に送るのに使用される。これらの送達可能流体の元となる流体源は図１には示していない。
【００２６】
送達チューブ１３５は、入口ポイント１４３で固定容量チャンバ１１５に固着されてもよい。さらに、送達チューブ１３５は、入口ポイント１４３で固定容量チャンバ１１５から着脱可能であってもよい。例えば、送達チューブ１３５は、固定容量チャンバ１１５に差し込み式に固定されてもよい。送達チューブ１３５と固定容量チャンバ１１５の結合に関する更なる細部は、以下の図２および１６−１８に示される。
【００２７】
送達チューブ１３５の反対側の端部は、マニホールド１４５に結合される。マニホールド１４５は、組織部位１０５と接触するように配置されて組織部位１０５への減圧を分配する、生物学的適合性のある多孔性材料でもよい。マニホールド１４５は、フォーム、ガーゼ（ｇａｕｚｅ）、フェルト状マット、または、特定の生物学的用途に適した他の材料から製造されてもよい。マニホールド１４５は、減圧の分配を促進するか、組織部位への流体、あるいは、組織部位からの流体を分配するのを促進する、複数の流路または経路を具えることができる。
【００２８】
一実施例においては、マニホールド１４５は、多孔性フォームであり、フローチャネルとして機能する複数の相互連結セルまたは孔を具える。多孔性フォームは、ポリウレタン、オープンセル、テキサス州サンアントニオのＫｉｎｅｔｉｃ  Ｃｏｎｃｅｐｔｓ社が製造したＧｒａｎｕＦｏａｍなどの網状フォームでもよい。オープンセルフォームが使用される場合、多孔率は変化してもよいが、好ましくは約４００乃至６００ミクロンである。フローチャネルは、オープンセルを有するマニホールド１４５の一部に亘って流体連通可能である。これらのセルやフローチャネルは、形状および寸法が均一でもよく、形状および寸法が、パターン化されていても、ランダムでもよい。マニホールドのセルの形状および寸法のバリエーションは、フローチャネルのバリエーションとなり、このような特性は、マニホールド１４５を通る流体のフロー特性を変更するのに使用できる。
【００２９】
一実施例においては、マニホールド１４５は、「閉じたセル」を含む部分をさらに具えてもよい。マニホールド１４５の上記閉じたセル部分は、複数のセルを含み、その大半は、隣接するセルと流体的に接続されていない。閉じたセルの部分は、マニホールド１４５に選択的に配置されてもよく、マニホールド１４５の周囲表面を介して流体が移動するのを阻止する。
【００３０】
マニホールド１４５は、減圧治療システム１００の使用後、患者の身体から取り外す必要のない生物学的適合性のある材料から構成されていてもよい。適宜な生物学的適合性材料は、限定するものではないが、ポリ乳酸（ＰＬＡ）およびポリグリコール酸（ＰＧＡ）のポリマブレンドを含んでもよい。ポリマブレンドは、限定するものではないが、ポリカルボネート、ポリフマレートおよびカパララクトン（ｃａｐｒａｌａｃｔｏｎｅ）を具えていてもよい。マニホールド１４５は、新規な細胞増殖のためのスカフォールドとして機能してもよく、あるいは、スカフォールだ材料は、細胞増殖を促進するようにマニホールド１４５と結合して使用されてもよい。スカフォールドは、細胞増殖用テンプレートを提供する３次元多孔性構造など、細胞の増殖または組織の形成を促進または刺激するのに使用される物質（ｓｕｂｓｔａｎｃｅ）または構造である。逆フォールド材料の例示的な実施例は、カルシウムリン酸塩、コラーゲン、ＰＬＡ／ＰＧＡ、サンゴ（ｃｏｒａｌ）ヒドロキシアパタイト、カルボネートまたは処理した同種移植片材料を具える。一実施例においては、スカフォールド材料は、高いボイドフラクション（すなわち、高い空気含有率）を有する。
【００３１】
マニホールド１４５は、シーリングメンバ１５０を用いて組織部位１０５に固着されてもよい。シーリングメンバ１５０は、組織部位１０５にマニホールド１４５を固定するように使用されるカバーでもよい。シーリングメンバ１５０が、不透過性または半透過性でもよいが、一実施例においては、シーリングメンバ１５０は、マニホールド１４５の上にシーリングメンバ１５０の設置後、組織部位１０５での減圧を維持することができる。シーリングメンバ１５０は、シリコーンベース化合物、アクリル酸、ヒドロゲル、ヒドロゲル形成材料、または、組織部位１０５に望ましい不透過性特性または透過性特性を具える他の生物学的適合性材料から製造される、フレキシブルドレープまたはフィルムでもよい。
【００３２】
一実施例においては、シーリングメンバ１５０は、マニホールド１４５および組織部位１０５を囲む組織にシール接続を提供するように構成される。 シーリングメンバ１５０を、マニホールド１４５または組織部位１０５を囲む組織に固定するように、シーリングメンバ１５０の周囲またはシーリングメンバ１５０のいずれかの部分に沿って配置される接着剤によって、シール接続は提供される。この接着剤は、シーリングメンバ１５０上に予め配置されてもよく、噴霧されてもよく、あるいは、シーリングメンバ１５０を設置する直前に、シーリングメンバ１５０に塗布されてもよい。
【００３３】
いくつかの場合において、シーリングメンバ１５０は、組織部位１０５をシールするのに必要ではない。例えば、組織部位１０５は、減圧を維持するのに「自己シール」可能である。皮下および深部の組織創傷、キャビティおよびろう孔（ｆｉｓｔｕｌａｓ）の場合、組織部位１０５での減圧の維持は、シーリングメンバ１５０を使用しなくても可能である。組織は、上記種類の組織部位を覆いまたは囲むことが多いので、組織部位を囲む組織は、シーリングメンバとして効率的に機能する。
【００３４】
一実施例においては、送達チューブ１３５は、コネクションメンバ１５５を介してマニホールド１４５に結合される。コネクションメンバ１５５は、マニホールド１４５から送達チューブ１３５までの流体通路、または、その逆を可能とする。例えば、マニホールド１４５を使用して組織部位１０５から集められた滲出液は、コネクションメンバ１５５を介して送達チューブ１３５に入ってもよい。別の実施例においては、減圧治療装置システム１００は、コネクションメンバ１５５を具えていない。この実施例においては、送達チューブ１３５は、シーリングメンバ１５０内に直接挿入されてもよく、送達チューブ１３５の端部は、マニホールド１４５に隣接されている。
【００３５】
さらに、減圧治療システム１００は、圧力フィードバックシステム１６０を具えてもよい。圧力フィードバックシステム１６０は、減圧治療システム１００の他のコンポーネントと操作可能に接続していてもよく、組織部位１０５に送達される圧力の相対量または絶対量を示す情報を減圧治療システム１００のユーザに与える。圧力フィードバックシステム１６０によって、ユーザは、減圧治療システム１００によって発生した減圧量を正確に追跡（ｔｒａｃｋ）することができる。圧力フィードバックシステムの非限定的な例は、減圧が選択した値よりも大きくなったときに作動するポップバルブ、小型電池から電力を得る低電力電気インジケータ、組織部位に加えられる特定の圧力バルを示すダイアルインジケータ、デフレクションポンプバルブ、各種デフレクション特性を有するポリマ、および、減圧治療システム１００によって発生した相対または絶対圧力値を示す、可視化識別子を生成するように互いに相対的に移動するフィルム、を具える。フィルムベースシステムの例は、ポンプ１０２の第１の部分に固定された黄色フィルムを具えてもよく、このポンプ１０２の第１の部分は、第２の部分に固定された青色フィルムに対して移動可能である。第１および第２の部分が、減圧を加えるように、互いに相対的に移動可能なときに、黄色フィルムおよび青色フィルムは、オーバラップして緑色インジケータを作成する。圧力が上昇し、フィルムが互いに離れるように移動すると、緑色の消失は、圧力が上昇したことを示す（すなわち、より減圧を加える必要である）。
【００３６】
さらに、圧力フィードバックシステム１６０は、減圧治療システム１００の他のコンポーネントから離れて示されているが、圧力フィードバックシステム１６０は、減圧治療システム１００のいくつかのコンポーネントからなる統合部分を形成してもよい。圧力フィードバックシステム１６０に関する更なる細部は、以下の図１４および１６に示される。上述のコンポーネントおよびシステムに加えて、減圧治療システム１００は、組織部位１０５に減圧治療を付与することを促進するために、バルブ、レギュレータ、スイッチならびに他の電機部品、機械部品および流体状部品を具えてもよい。
【００３７】
乾燥剤または吸着材料は、流体が集められた後、流体をトラップまたは制御するために、固定容量チャンバ１１５内に配置されてもよい。固定容量チャンバ１１５がない場合、滲出液および他の流体を制御する方法を使用し、特に水溶性の流体は、マニホールド１４５から吸引可能である。
【００３８】
一実施例においては、可変容量チャンバ１１０は、非圧縮位置から圧縮位置まで移動され、これによって、可変容量チャンバ１１０の容量が減少する。この結果として、ガスは、出口バルブ１２４を介して可変容量チャンバ１１０から放出される。ガスは、出口バルブ１２４を介して可変容量チャンバ１１０に入ることができないため、ガスは、周囲空間１６５から可変容量チャンバ１１０に入ることができない。従って、可変容量チャンバ１１０は、圧縮位置から非圧縮位置まで各ダイし、ガスは、固定容量チャンバ１１５から可変容量チャンバ１１０まで送られる。圧縮位置から非圧縮位置までの可変容量チャンバ１１０の移動は、拡張力によって生じてもよい。可変容量チャンバ１１０の側壁が波状の側壁である例示的な実施例においては、拡張力は、互いに離れるように移動するための、波状側壁の波形傾向（ｔｅｎｄｅｎｃｙ）によって生じ、これによって、可変容量チャンバ１１０を非圧縮位置まで戻す。拡張力は、可変容量チャンバ１１０内または外に配置されるバネ、または、フォームコンポーネントなど、独立したバイアスメンバによって生じさせてもよい。別の実施例においては、可変容量チャンバ１１０の非波型側壁の弾力は、非圧縮位置に可変容量チャンバ１１０を移動させるのに使用されてもよい。
【００３９】
滲出液などの液体は、フィルタハウジング１２０内の疎水性フィルタなどのフィルタによって、固定容量チャンバ１１５から可変容量チャンバ１１０に送られるのを阻止される。固定容量チャンバ１１５は、周囲空間１６５からシールされるので、可変容量チャンバ１１０が圧縮位置から非圧縮位置まで拡張されると、減圧は固定容量チャンバ１１５内で発生する。この減圧は、次いで、送達チューブ１３５およびマニホールド１４５を介して組織部位１０５に送られる。この減圧は、シーリングメンバ１５０を用いて組織部位１０５で維持される。
【００４０】
非圧縮位置から圧縮位置までの、または、その逆の可変容量チャンバ１１０の移動プロセスが繰り返され、組織部位１０５での減圧が生じる。特に、可変容量チャンバ１１０は、固定容量チャンバ１１５が組織部位１０５からの滲出液などの液体で満たされるまで、複数の圧縮／拡張サイクルを行ってもよい。可変容量チャンバ１１０および固定容量チャンバ１１５を含むポンプ１０２の複数チャンバ構成によって、圧縮ポンプが、固定容量チャンバ１１５における液体量に関係なく圧縮可能となる。結果として、固定容量チャンバ１１５における液体量に関係なく、圧縮／拡張サイクル中に所望の圧力が得られる。
【００４１】
図２を参照すると、図１のポンプ１０２の非限定的な実施例であるポンプ２００が、例示的な実施例に従って示されている。ポンプ２００は図１のポンプ１０２の代わりとして使用されてもよい。
【００４２】
ポンプ２００は、圧縮可能蛇腹（ｂｅｌｌｏｗｓ）２１０を具える。圧縮可能蛇腹２１０は、図１の可変容量チャンバ１１０の非限定的な実施例である。圧縮可能蛇腹２１０は、非圧縮位置および圧縮位置など、複数位置内に移動可能である。圧縮可能蛇腹２１０は、波形２１２を有する波型側壁から形成される。波形２１２は、互いに向かい合うように、および、離れるように移動でき、圧縮可能蛇腹２１０が圧縮及び拡張する。例えば、圧縮可能蛇腹２１０は、波形２１２の直線密度の減少が与える拡張力によって、圧縮位置から非圧縮位置まで移動できる。この拡張力は、互いに離れるように移動する波形２１２の傾向によって付与される。
【００４３】
さらに、圧縮可能蛇腹２１０は、この圧縮可能蛇腹２１０が圧縮および拡張可能な材料から構成される。波形側壁によって付与される拡張力は、圧縮可能蛇腹２１０が構成される材料に依存していてもよい。従って、図１の組織部位１０５などの組織部位への圧縮可能蛇腹２１０による圧力量は、圧縮可能蛇腹２１０が構成される材料に依存していてもよい。圧縮可能蛇腹２１０によって与えられる圧力量に影響を与える因子は、材料の硬度、伸縮性、厚み、弾力および透過性が含まれる。圧縮蛇腹２１０が圧縮位置から非圧縮位置まで動くとき、ポンプ２００に生じる圧力減衰の程度によって材料は選択される。波形側壁によって付与される拡張力は、圧縮可能蛇腹２１０の程度に依存していてもよい。圧縮可能蛇腹２１０の断面における自由度は、得られる減圧量ならびに圧縮可能蛇腹２１０を開始させるのに必要な入力圧力に影響を与える。
【００４４】
非限定的な実施例に１つにおいては、圧縮可能蛇腹２１０はＳｈｏｒｅ６５Ａから構成される。Ｓｈｏｒｅ６５Ａは、１２５乃至１５０ｍｍＨｇの圧力を提供可能である。このような圧力レベルは、少なくとも６時間維持されることができる。より高い圧力については、Ｓｈｏｒｅ８５Ａなどのより硬い材料を使用してもよい。蛇腹２１０が構成される材料を変化させることで、２５０ｍｍＨｇの圧力、ならびに、４００ｍｍＨｇより高い圧力が、圧縮可能蛇腹２１０を使用して得られる。
【００４５】
圧縮可能蛇腹２１０が、円形断面形状を有するように示されているが、圧縮可能蛇腹２１０は、あらゆる断面形状でもよい。例えば、圧縮可能蛇腹２１０の断面形状は、卵形または５角形、６角形または８角形などの多角形でもよい。
【００４６】
圧縮可能蛇腹２１０は、出口バルブ２２４を具える。出口バルブ２２４は、非限定的な例だが、図１の出口１２４である。ガスは、非圧縮位置から圧縮位置まで蛇腹ポンプ２１０の移動に応じて、出口バルブ２２４を介して圧縮可能蛇腹２１０から出る。出口バルブ２２４は、圧縮可能蛇腹２１０のどの配置されてもよい。例えば、出口バルブ２２４は、フィルタハウジング２２０が配置される端部と反対側にある圧縮可能蛇腹２１０の端部に配置されてもよい。出口バルブ２２４は、圧縮可能蛇腹２１０の端壁の中心に配置されてもよい。圧縮可能蛇腹２１０からの直接的なフローは、矢印２２６として示す。出口バルブ２２４は、ガスが圧縮可能蛇腹２１０に入るのを阻止する。図２においては、出口バルブ２２４は、アンブレラバルブであるが、バルブ２２４はいかなるバルブでもよい。出口バルブ２２４に関する更なる細部は、以下の図７に示す。
【００４７】
点線２２８で示されるように、圧縮可能蛇腹２１０は、フィルタハウジング２２０と結合される。圧縮可能蛇腹２１０は、フィルタハウジング２２０に、溶接、ねじ留め、接着、エアーロックシールまたは差し込み式に固定されてもよい。圧縮可能蛇腹２１０とフィルタハウジング２２０との間の結合に関する更なる詳細は、以下の図５および６に示される。
【００４８】
フィルタハウジング２２０は、図１のフィルタハウジング１２０の非限定的な実施例である。フィルタハウジングは、プラスチック、金属、ゴムまたは１又はそれ以上のフィルタを保持可能な他の材料など、あらゆる材料から構成されてもよい。フィルタハウジング２００は、点線２３６で示されるようにフィルタハウジング２２０に結合した臭気フィルタ２３１を含む。臭気フィルタ２３１は、フィルタハウジング２２０またはその隣接した位置にねじ留め、接着、ボルト留め、エアーロックシール、差し込み式に固定されてもよい。さらに、フィルタハウジング２２０は、臭気フィルタ２３１が配置される溝を具えていてもよい。
【００４９】
臭気フィルタ２３１は、固定容量チャンバ２１５から圧縮可能蛇腹２１０までえ臭気の移動を制限または阻止する。このような臭気は、固定容量チャンバ２１５に含まれる滲出液または他の液体によるものである。一実施例においては、臭気フィルタ２３１は、カーボン臭気フィルタである。この実施例においては、カーボン臭気フィルタは、炭を具えていてもよい。図２は、平坦な形状の臭気フィルタ２３１を描いているが、臭気フィルタ２３１は、固定容量チャンバ２１５から圧縮可能蛇腹２１０までの臭気の移動を制限または阻止することができる形状であればよい。例えば、臭気フィルタ２３１は、円形、卵型または多角形ディスク形状でもよい。
【００５０】
さらに、フィルタハウジング２２０は、点線２３８によって示されるようにフィルタハウジング２２０に取り付けられる疎水性フィルタ２３４を具える。疎水性フィルタ２３４は、フィルタハウジング２２０にねじ留め、接着、ボルト留め、エアロックシール、差し込み式に固定されてもよく、あるいは、フィルタハウジング２２０に隣接した位置に超音波溶接されてもよい。一実施例においては、臭気フィルタ２３１は、フィルタハウジング２２０と疎水性フィルタ２３４との間に挟まれている。疎水性フィルタ２３４がフィルタハウジング２２０に固定されている実施例において、臭気フィルタ２３１は、フィルタハウジング２２０と疎水性フィルタ２３４との間に挟まれるように、固定されてもよい。臭気フィルタ２３１および疎水性フィルタ２３４は、図２に示されるように、固定容量チャンバ２１５により近接したフィルタハウジング２２０の側部と結合してもよい。
【００５１】
疎水性フィルタ２３４は、滲出液などの液体が圧縮可能蛇腹２１０に入るのを阻止する。しかしながら、疎水性フィルタ２３４によって、空気などのガスが通過可能となり、減圧は、圧縮可能蛇腹２１０から固定容量チャンバ２１５へと送られることができる。疎水性フィルタ２３４は、発泡ポリテトラフルオロエタンなどの種々の材料から構成される。
【００５２】
ポンプ２００は、固定容量チャンバ２１５を具える。固定容量チャンバ２１５は、図１の固定容量チャンバ１１５の非限定的な実施例である。固定容量チャンバ２１５は、一定の容量を有し、図１の組織部位１０５などの組織部位から、滲出液などの液体を含有してもよい。固定容量チャンバ２１５は、溶接、ねじ留め、接着、ボルト留め、エアーロックシールまたは差し込み式にフィルタハウジング２２０に固定されてもよい。
【００５３】
固定容量チャンバ２１５は、入口バルブ２４０を具える。入口バルブ２４０は、図１の入口バルブ１４０の非限定的な実施例である。図２に示されるように、入口バルブ２４０は、固定容量チャンバ２１５の端壁の中心に配置される。また、入口バルブ２４０および出口バルブ２２４は、ポンプ２００の中心を通る中心長手方向軸２９０に沿って各々配置される。
【００５４】
滲出液などの液体は、図１のマニホールド１４５など、マニホールドから、入口バルブ２４０を介して固定容量チャンバ２１５内へと流れてもよい。入口バルブ２４０を介した固定容量チャンバ２１５内への液体の流れは、矢印２４２として示す。さらに、入口バルブ２４０は、この入口バルブ２４０が配置されているポイントでの固定容量チャンバ２１５からでる液体の通過を制限または阻止する。
【００５５】
あらゆる種類のバルブを入口バルブ２４０の機能を得るために使用できる。一実施例においては、入口バルブ２４０の頂部２４６はダックビルバルブである。入口バルブ２４０は、アンブレラバルブ、ボールバルブ、ダイアフラムバルブおよびあらゆる種類の一方向性バルブでもよい。
【００５６】
固定容量チャンバ２１５への液体流は、固定容量チャンバ２１５における減圧によって生じる。固定容量チャンバ２１５の減圧は、圧縮可能蛇腹２１０から固定容量チャンバ２１５への送られる減圧によって生じる。圧縮可能蛇腹２１０が圧縮位置から非圧縮位置まで移動すると、ガスは、固定容量チャンバ２１５から圧縮可能蛇腹２１０へと送られる。結果として、減圧は、圧縮位置から非圧縮位置までの圧縮可能蛇腹２１０の移動に応じて、圧縮可能蛇腹２１０から固定容量チャンバ２１５へと送られる。圧縮可能蛇腹２１０が非圧縮位置から圧縮位置まで移動されると、ガスは、出口バルブ２２４を介して圧縮可能蛇腹２１０からでる。このような圧縮／拡張サイクルが、図１の組織部位１０５など、組織部位への所望量の減圧を付加するように繰り返される。
【００５７】
図３を参照すると、図２の蛇腹ポンプ２００の非限定的な実施例である蛇腹ポンプ３００が、例示的な実施例に従って示されている。図３においては、圧縮可能蛇腹３００は、圧縮可能蛇腹３００によって得られる位置の範囲において、２つの異なる位置に示されている。特に、圧縮可能蛇腹３００は、非圧縮位置３０５および圧縮位置３１０について示されている。圧縮可能蛇腹３００は、圧縮位置３１０よりも非圧縮位置３０５の方がより容量が大きい。
【００５８】
圧縮可能蛇腹３００は非圧縮位置３０５から圧縮位置３１０まで圧縮されるとき、圧縮可能蛇腹３００のガスは、図２の出口バルブ２２４の非限定的な実施例である出口バルブ３２４から排出される。圧縮可能蛇腹３００の容量は、移動３１５中に減少する。
【００５９】
圧縮可能蛇腹３００は、圧縮位置３１０から非圧縮位置３０５まで拡張すると、出口バルブ３２４は空気のみを圧縮可能蛇腹３００から出すことができるので、ガスは、出口バルブ３２４を介して圧縮可能蛇腹３００には入らない。その代わり、ガスは、圧縮可能蛇腹３００が結合している、図２の固定容量チャンバ２１５などの固定容量チャンバから蛇腹ポンプに入る。圧縮可能蛇腹３００の容量は、圧縮位置３１０から非圧縮位置３０５まで拡張するとき、増加する。
【００６０】
圧縮可能蛇腹３００を拡張するのに必要な拡張力は、拡張力または付勢力によって与えられる。圧縮可能蛇腹３００を構成する材料は、圧縮可能蛇腹３００が圧縮位置３１０にあるときに、伸縮性があるように変形する。圧縮可能蛇腹３００が構成される材料の伸縮特性互いに離れるように、圧縮可能蛇腹３００に含まれる波形に付勢し、圧縮可能蛇腹３００は非圧縮位置３０５まで拡張される。圧縮可能蛇腹３００が拡張するとき、可変容量チャンバの密閉性によって、可変容量チャンバ内に形成される減圧が生じる。減圧は、次いで、疎水性フィルタを介して固定容量チャンバに送られ、それから、組織部位に減圧は送られる。
【００６１】
図４を参照すると、図２のフィルタハウジング２２０の非限定的な実施例であるフィルタハウジングの一部は、例示的な実施例に従って示されている。図２の臭気フィルタ２３１である臭気フィルタ４３１は、溝４３２でフィルタハウジング４２０に適合する。図２の疎水性フィルタ２３４の非限定的な実施例である疎水背フィルタ４３４は、突出部４３９でフィルタハウジング４２０に超音波溶接される。しかしながら、上述のように、疎水性フィルタ２３４は、様々な方法でフィルタハウジング４２０に結合されてもよい。臭気フィルタ４３１は、溝４３２でフィルタハウジング４２０と疎水性フィルタ４３４との間に挟まれており、フィルタハウジング４２０に独立して結合されていても、または、されなくてもよい。
【００６２】
矢印４４３で示されるように、空気などのガスは、ギャップ４４５を介して、疎水性フィルタ４３４および臭気フィルタ４３１を通って流れることができる。なお、疎水性フィルタ４３４は、滲出液などの液体がギャップ４４５を介して通るのを阻止する。さらに、臭気フィルタ４３１は、ギャップ４４５を通り臭気が通過するのを阻止する。
【００６３】
図５を参照すると、図２の圧縮可能蛇腹２１０の非限定的な実施例である圧縮可能蛇腹５１０間のインターロッキングシール、および、図２のフィルタハウジング２２０の非限定的な実施例であるフィルタハウジング５２０は、例示的な実施例に従って示される。図５に示されるインターロッキングシールは、圧縮可能蛇腹５１０をフィルタハウジング５２０に差し込み式に固定することができ、減圧治療システムの適切なオペレーションに適合する空気密閉シールを維持する。圧縮可能蛇腹５１０は、差し込み用突出部５３０を具える。フィルタハウジング５２０は、差し込み用突出部５３０が挿入される切り込み部（ｕｎｄｅｒｃｕｔ）５４０を具える。圧縮可能蛇腹５１０とフィルタハウジング５２０との間の大きな接触面積は、範囲５５０で示されるように、圧縮可能蛇腹５１０とフィルタハウジング５２０との間の適切なシールを維持するのを補助する。
【００６４】
図６を参照すると、図２の圧縮可能蛇腹２１０の非限定的な実施例である圧縮可能蛇腹６１０間のインターロッキングシール、および、図２のフィルタハウジング２２０の非限定的な実施例であるフィルタハウジング６２０は、例示的な実施例に従って示される。図５のインターロッキングシールと同様に、フィルタハウジング６２０は、圧縮可能蛇腹６１０の差し込み突出部６３０が挿入される切り込み部６４０を具える。なお、図５に対して、図６のインターロッキングシールの例示的な実施例は、圧縮可能蛇腹６１０がリブ６５５を具えることを示している。さらに、フィルタハウジング６２０は、リブ６５５が挿入されるくぼみ６６０を具える。インターロッキングリブ６５５およびくぼみ６６０の使用は、圧縮可能蛇腹６１０とフィルタハウジング６２０との間のより隙間のないシールを形成するのを補助する。
【００６５】
図７を参照すると、図２の出口バルブ２２４の非限定的な実施例である出口バルブ７２４が、例示的な実施例に従って示されている。出口バルブ７２４は、図２の圧縮可能蛇腹２１０の非限定的な実施例である圧縮可能蛇腹７１０の端壁７３０に結合される。端壁７３０は、金属、プラスチック、ゴムまたは他の材料から製造されてもよい。図７においては、端壁７３０は、範囲７３５によって示される範囲で、圧縮可能蛇腹７１０に溶接されてもよい。なお、端壁７３０は、ねじ留め、接着、ボルト留め、エアーロックシールまたは差し込み式に圧縮可能蛇腹７１０に固定されてもよい。
【００６６】
空気などのガスは、矢印７４０で示されるように、圧縮可能蛇腹７１０から流れ出る。特に、ガスは、ギャップ７４１を介して圧縮可能蛇腹７１０から流れ出て、次いで、出口バルブフラップ７４２および７４３と、端壁７３０との間の空間を通過する。なお、フラップ７４２および７４３は、圧縮可能蛇腹７１０からのガス流によってのみ開くので、ガスは、出口バルブ７２４のを介して圧縮可能蛇腹７１０に入ることはできない。図７においては、出口バルブ７２４は、アンブレラバルブである。なお、出口バルブ７２４は、圧縮可能蛇腹７１０からガスが通過するのを制限または阻止しつつ、ガスが圧縮可能蛇腹７１０を通過できるあらゆるバルブでもよい。
【００６７】
図８を参照すると、図７の端壁７３０の非限定的な実施例である端壁８３０間の結合、および、図７の圧縮可能蛇腹７１０の非限定的な実施例である圧縮可能蛇腹８１０は、例示的な実施例に従って示される。図７と比べて図８の例示的な実施例は、圧縮可能蛇腹８１０に含まれる突出部８４０を示す。さらに、端壁８３０は、突出部８４０が挿入されるくぼみ８５０を具える。突出部８４０とくぼみ８５０の使用によって、圧縮可能蛇腹８１０と端壁８３０との間のより隙間のないシールの形成が補助され、圧縮可能蛇腹８１０を端壁８３０に結合するのに必要な溶接量を低減するのを補助する。
【００６８】
図９を参照すると、図２の圧縮可能蛇腹２１０の非限定的な実施例である圧縮可能蛇腹９１０は、例示的な実施例に従って示される。圧縮可能蛇腹９１０は、図２のフィルタハウジング２２０の非限定的な実施例であるフィルタハウジング９２０に結合される。図９において、圧縮可能蛇腹９１０の端壁９３０は、出口バルブを含まない。そのかわり、圧縮可能蛇腹９１０は、ブラケット９４０および９４５によって示される圧縮可能蛇腹９１０の一部に出口バルブを具える。圧縮可能蛇腹９１０は、ブラケット９４０および９４５に示される圧縮可能蛇腹９１０の周辺部に、１またはそれ以上の出口バルブを具えることができる。ブラケット９４０および９４５によって示される圧縮可能蛇腹９１０の一部にある出口バルブに関する更なる細部は、以下の図１０−１３に示される。
【００６９】
図１０を参照すると、図９の圧縮可能蛇腹９１０の非限定的な実施例である圧縮可能蛇腹１０１０の一部であるアンブレラ出口バルブは、例示的な実施例に従って示される。出口バルブはフラップ１０２５を具える。図９のフィルタハウジング９２０の非限定的な実施例であるフィルタハウジング１０２０は、ギャップ１０２７を具える。非圧縮位置から圧縮位置まで圧縮可能蛇腹１０１０を動かすとき、ガスは、矢印１０２９によって示されるように、ギャップ１０２７を通り圧縮可能蛇腹から出る。ガス流は、矢印１０３７に示されるように、開位置１０３５にフラップ１０２５を上げ、これによって、圧縮可能蛇腹１０１０からガスは通過することができる。圧縮可能蛇腹が圧縮位置から非圧縮位置まで移動するときなど、空気が圧縮可能蛇腹１０１０から流れでないとき、フラップ１０２５は、フィルタハウジング１０２０と接触しており、ガスは圧縮可能蛇腹１０１０内に流入しない。
【００７０】
この実施例においては、さらに、圧縮可能蛇腹１０１０は、フィルタハウジング１０２０のくぼみ１０４５に適合する突出部１０４０を有してもよい。突出部１０４０のくぼみ１０４５への収容は、圧縮可能蛇腹１０１０とフィルタハウジング１０２０との間の差し込み（ｓｎａｐ）収容を維持するのを補助する。
【００７１】
図１１を参照すると、圧縮可能蛇腹１１１０に配置される出口バルブが、フィルタハウジング１０２０と接触する圧縮可能蛇腹１１１０の一般的な部分において、例示的な実施例に示されている。圧縮可能蛇腹１１１０は、図９の圧縮可能蛇腹９１０の非限定的な実施例であり、フィルタハウジング１１２０は、図９のフィルタハウジング９２０の非限定的な実施例である。
【００７２】
非圧縮位置から圧縮位置まで圧縮可能蛇腹の１１１０の圧縮に際し、ガスは、矢印１１２９に示されるように、ギャップ１１２７を通り、圧縮可能蛇腹１１１０から流れ出るようとする。ガスは、リブ１１３５を含むフラップ１１２５に直面する。リブ１１３５の厚さまたは材料に依存するリブ１１３５の強度は、空気が圧縮可能蛇腹１１１０から逃げるようにフラップ１１２５を曲げるために、ガスによって加えられなければならない力の量を決定する。従って、リブ１３３５の強度は、圧縮可能蛇腹１１１０によって形成され、図１の組織部位１０５などの組織部位に完全に送られる圧力量も判定する。
【００７３】
図１２を参照すると、開位置にある図１１の出口バルブは、例示的な実施例に従って示される。矢印１２２９で示されるガスの流れは、圧縮可能蛇腹１２１０のフラップ１２２５に十分な力を働かせ、フラップ１２２５は、圧縮可能蛇腹１２１０からガスを放出することができるように曲がる。特に、ガス流が作用する力は、リブ１２３５の強化力（ｓｔｒｅｎｇｔｈｅｎｉｎｇ  ｆｏｒｅｃｅ）に打ち勝つのに十分である。
【００７４】
図１３を参照すると、図１１および１２の圧縮可能蛇腹１１１０および１２１０の非限定的な例である蛇腹１３１０の側壁に配置された出口バルブは、それぞれ、例示的な実施例に従って示される。図１３は、それぞれ、図１１および１２のフラップ１１２５および１２２５の非限定的な実施例であるフラップ１３２５を示す。さらに、図１３は、それぞれ、図１１および１２のリブ１１３５および１２３５の非限定的な実施例であるリブ１３３５を示す。上述したように、リブ１３３５は、オープンフラップ１３２５に必要な力を調節するために使用可能であり、これによって、蛇腹ポンプ１３１０によって形成可能な圧力量を変化させる。
【００７５】
図１４を参照すると、頂部ケーシング部１４０２および底部ケーシング部１４０４を有するケーシングによってケーシングされた減圧治療システム１４００は、例示的な実施例に従って示される。減圧治療システム１４００は、圧縮可能蛇腹１４１０、フィルタハウジング１４２０、臭気フィルタ１４３１、疎水性フィルタ１４３４および可変容量チャンバ１４１５を含む、ポンプ１４８８を具える。
【００７６】
図１４は、互いに比べて、減圧治療システム１４００の異なるコンポーネントの配向性を示す。図２の圧縮可能蛇腹２１０の非限定的な実施例である圧縮可能蛇腹１４１０は、頂部ケーシング部１４０３内に挿入される。さらに、頂部ケーシング部は、グリップ１４０３を具える。グリップ１４０３は、ゴム、プラスチックまたは頂部ケーシング部１４０２上の感知グリップ（ｔａｃｔｉｌｅ  ｇｒｉｐ）を改善可能な他の材料から構成される。
【００７７】
圧縮可能蛇腹１４１０の断面形状は、卵形である。特に、圧縮可能蛇腹１４１０は、細長中間部１４１２および丸形端部１４１４を有する。圧縮可能蛇腹１４１０の断面形状によって、圧縮可能蛇腹１４１０は頂部ケーシング部１４０２に適合可能である。圧縮可能蛇腹１４１０の断面形状は、減圧治療システム用のケーシングの形状に依存して、変化可能である。
【００７８】
圧縮可能蛇腹１４１０は、図２に記載のフィルタハウジング２２０の非限定的な実施例である、フィルタハウジング１４２０に結合する。フィルタハウジング１４２０は、ガスが流れることが可能なグリッドメッシュ１４２５を具える。
【００７９】
図２の臭気フィルタ２３１および疎水性フィルタ２３４の非限定的な実施例である、臭気フィルタ１４３１および疎水性フィルタ１４３４は、それぞれ、前述の図に描かれているようにフィルタハウジング１４２０に適合する。図２の固定容量チャンバ２１５の非限定的な実施例である固定容量チャンバ４１５は、フィルタハウジング１４２０に結合する。固定容量チャンバ４１５は、底部ケーシング部１４０４に挿入されてもよい。
【００８０】
頂部ケーシング部１４０２および底部ケーシング部１４０４は、あらゆる材料から構成されてもよい。例えば、頂部ケーシング部１４０２および底部ケーシング部１４０４は、減圧治療システム１４００の内部コンポーネントを保護するのに適切な材料から構成されてもよい。頂部ケーシング部１４０２および底部ケーシング部１４０４が構成される材料の非限定的な実施例は、プラスチック、金属またはゴムを具える。
【００８１】
図１５を参照すると、各々が図２の圧縮可能蛇腹２１０の非限定的な実施例である圧縮可能蛇腹１５１０および１５１２は、例示的な実施例に従って示される。圧縮可能蛇腹１５１０および１５１２は、図１４の圧縮可能蛇腹１４１０に置換可能である。従って、圧縮可能蛇腹１５１０および１５１２は、図１４の頂部ケーシング部１４０２など、頂部ケーシング部内に挿入されるように構成されてもよい。圧縮可能蛇腹１５１０および１５１２の各々は、図１４のフィルタハウジング１４２０の非限定的な実施例であるフィルタハウジング１５２０に結合される。
【００８２】
２つの圧縮可能蛇腹１５１０および１５１２の使用によって、圧縮可能蛇腹１５１０および１５１２が使用される減圧治療システムは、圧縮可能蛇腹の１つが漏れても、または、壊れても、機能し続けることができる。さらに、圧縮可能蛇腹１５１０および１５１２の使用は、減圧治療システムの構成において、効率の製造を改善することができる。例えば、円形断面を有する圧縮可能蛇腹１５１０および１５１２の製造は、単一の圧縮可能蛇腹が頂部ケーシング部１４０２の内側に適合可能な細長断面を有する単一の圧縮可能蛇腹の製造よりも容易である。
【００８３】
図１６を参照すると、図１４の減圧治療システム１４００の非限定的な実施例である、減圧治療システム１６００は、例示的な実施例に従って示される。減圧治療システム１６００は、減圧治療システム１４００が組み立てられるとき、減圧治療システム１４００を示す。減圧治療システム１６００において、頂部および底部ケーシング部１６０２および１６０４は、圧縮可能蛇腹、フィルタハウジング、臭気フィルタ、疎水性フィルタおよび固定容量チャンバなど、減圧治療システム１６００の各種コンポーネントをケース内に配置する。頂部および底部ケーシング部１６０２および１６０４は、それぞれ、図１４の頂部および底部ケーシング部１４０２および１４０４の非限定的な実施例である。
【００８４】
減圧治療システム１６００は、さらに、可視化インジケータ１６０８を具える。可視化インジケータ１６０８は、図１の組織部位１０５など、組織部位に送られる減圧量をユーザに示す。特に、可視化インジケータ１６０８のラインは、頂部ケーシング部１６０２が底部ケーシング部１６０４に対して圧縮される程度を示し、従って、頂部ケーシング部１５０２内の１またはそれ以上の圧縮可能蛇腹が圧縮される程度も示す。可視化インジケータ１６０８を用いて、ユーザは、所望の減圧量を組織部位に継続的に送ることができる。
【００８５】
さらに、減圧治療システムは、端部キャップ１６１２を具える。端部キャップ１５１２は、底部ケーシング部１６０４に適合し、図１の送達チューブ１３５の非限定的な実施例である送達チューブ１６３５に結合されてもよい。端部キャップ１５１２に関する更なる詳細は、以下の図１７および１８に開示される。
【００８６】
図１７を参照すると、図１４の底部ケーシング部１６０４の非限定的な実施例である底部ケーシング部１７０４と、図１６の端部キャップ１６１２の非限定的な実施例である端部キャップ１７１２との間の適合は、例示的な実施例に従って示される。端部キャップ１７１２は、底部ケーシング部の端部溝１７１６の底部ケーシング部１７０４に適合する。端部キャップ１７１２は、固定容量チャンバ１７１５の入口バルブに結合可能な入口バルブコネクタ１７２１を具える。従って、滲出液などの液体は、入口バルブコネクタ１７２１を介して送達チューブを通り固定容量チャンバ１７１５に送られてもよい。端部キャップ１７１２は、底部ケーシング部１７０４に溶接、ねじ留め、接着、ボルト留め、エアーロックシール、差し込み、または、結合されてもよい。
【００８７】
図１８を参照すると、図１７の底部ケーシング部１７０４の非限定的な実施例である底部ケーシング部１８０４は、例示的な実施例に従って、図１７の端部キャップ１７１２の非限定的な実施例である端部キャップ１８１２に結合されるのを示す。図１７においては、端部キャップ１８１２は、底部ケーシング部１８０４および送達チューブ１８３５に結合されるように示されている。送達チューブ１８３５は、図１の送達チューブ１３５の非限定的な実施例である。図１７の例示的な実施例において、送達チューブ１８３５は、この送達チューブ１８３５が端部キャップ１８１２から突き出ているポイントで、底部ケーシング部１８０４に対して上向きに延在している。このような送達チューブ１８３５の上向きによって、ユーザは、減圧送達システム１８００を衣類などの簡便な位置あるいは所望の位置に配置することができる。一実施例においては、減圧治療システム１８００は、治療中、ポケット、ソックスまたはベルトに配置可能である。ベルト上で使用されるとき、減圧治療システム１８００のケーシングは、ベルトクリップも具える。
【００８８】
図１９を参照すると、図１のポンプ１０２など、手動作動型ポンプによって実施可能なプロセス、または、上述した減圧治療システムの他の例示的な実施例は、例示的な実施例に従って示される。
【００８９】
このプロセスは、非圧縮位置から圧縮位置までの可変容量を有する可変容量チャンバを包含する（ステップ１９０５）。このプロセスは、図１６の可視化インジケータ１６０８などのインジケータによって示されるように、圧縮位置が減圧の閾値レベルに達しているか否かを判定する（ステップ１９１０）。圧縮位置が、インジケータによって示されるように減圧の閾値レベルに達していないとプロセスが判定した場合、プロセスは、可変容量チャンバをさらに圧縮または拡大する（ステップ１９１５）。次いで、このプロセスはステップ１９１０に戻る。
【００９０】
圧縮位置が減圧の閾値レベルに達しているか、プロセスが判定した場合、次いで、このプロセスは、圧縮位置から非圧縮位置まで可変容量チャンバを拡張する（ステップ１９２０）。このプロセスは、可変容量チャンバから固定容量チャンバまで減圧を送る（ステップ１９２５）。次いで、このプロセスは、マニホールドおよび送達チューブを介して組織部位に減圧を送ることができる（ステップ１９３０）。
【００９１】
描かれた異なる実施例におけるフローチャートおよびブロック図は、装置および方法のいくつか可能性のある実施に関する構造、機能および操作を示す。いくつかの代替の実施例においては、ブロックに記載された１またはそれ以上の機能は、図に示される順番に従わずに発生してもよい。いくつかの代替の実施例においては、いくつかの場合、連続して示される２つのブロックは、実質的に同時に実行されてもよく、または、ブロックは、関連する機能に応じて、逆の順番で実行されてもよい。
【００９２】
本明細書に記載された例示的な実施例は、滲出液および他の液体は、減圧生成チャンバから回収されるチャンバを分けている。従って、液体が固定容量チャンバにあるとき、圧縮ポンプは、再チャージ可能である（すなわち、可撓性のある蛇腹は、再抑制可能である）。固定容量チャンバが、滲出液または他の液体を完全で満たされると、次いで、固定容量チャンバは、さらなる減圧が圧縮ポンプによって加えられる前に、空にすることができる。また、例示的な実施例は、従来の手動作動型システムとは異なり、特定の減圧治療サイクルの間、測定量および一定量の圧力を組織部位に送達可能である。例示的な実施例は、さらに、圧縮ポンプが再チャージされる毎に、目標圧力を一定に繰り返すことができる。これらの圧力送達能力は、固定容量チャンバの方向性または位置に関わらず存在する。
【図１】
2010517680.tif 000003
【図２】
2010517680.tif 000004
【図３】
2010517680.tif 000005
【図４】
2010517680.tif 000006
【図５】
2010517680.tif 000007
【図６】
2010517680.tif 000008
【図７】
2010517680.tif 000009
【図８】
2010517680.tif 000010
【図９】
2010517680.tif 000011
【図１０】
2010517680.tif 000012
【図１１】
2010517680.tif 000013
【図１２】
2010517680.tif 000014
【図１３】
2010517680.tif 000015
【図１４】
2010517680.tif 000016
【図１５】
2010517680.tif 000017
【図１６】
2010517680.tif 000018
【図１７】
2010517680.tif 000019
【図１８】
2010517680.tif 000020
【図１９】
2010517680.tif 000021
【国際調査報告】
2010517680.tif 000022